(57)【要約】【課題】比較的簡素な構成で、ＬＥＤの光の出射方向における照射領域だけでなく、ＬＥＤの光の出射方向と反対側（ＬＥＤランプを天井に取り付けた場合、天井側）の領域においても、良好な配光特性を得ることができる照明ランプ、それを用いた照明装置及びその照明ランプの製造方法を提供する。【解決手段】照明ランプ１は、発光部６と、発光部６が内部に配設され発光部６から出射される光を透過する筒状の外套部３と、発光部６の少なくとも光の出射側を覆うように外套部３の内部に配設され、発光部６から出射された光に、拡散、集光、導光及び偏光からなる群から選択された少なくとも１個以上の作用を及ぼすと共に、発光部６から出射された光の少なくとも一部を反射する配光制御部５と、を有する。【選択図】図１
2014192144.tif 000002
【特許請求の範囲】
【請求項１】
発光部と、
前記発光部が内部に配設され前記発光部から出射される光を透過する筒状の外套部と、
前記発光部の少なくとも光の出射側を覆うように前記外套部の内部に配設され、前記発光部から出射された光に、拡散、集光、導光及び偏光からなる群から選択された少なくとも１個以上の作用を及ぼすと共に、前記発光部から出射された光の少なくとも一部を反射する配光制御部と、を有する
ことを特徴とする照明ランプ。
【請求項２】
前記配光制御部は、
前記発光部と、前記外套部の中心軸との間において、
前記外套部の中心軸よりも、前記発光部に近づけて配設されている
ことを特徴とする請求項１記載の照明ランプ。
【請求項３】
前記配光制御部は、
前記発光部の全周囲を覆うように配設されている
ことを特徴とする請求項１又は請求項２記載の照明ランプ。
【請求項４】
前記配光制御部は、
前記発光部の光の出射側の反対側を覆う部分の一部が、前記外套部の内壁に沿うように配設されている
ことを特徴とする請求項３記載の照明ランプ。
【請求項５】
前記配光制御部は、
前記発光部を係止する係止部を有する
ことを特徴とする請求項１〜請求項４のいずれか一項に記載の照明ランプ。
【請求項６】
前記配光制御部を覆うように配設され、前記配光制御部を保持する配光制御保持部を有する
ことを特徴とする請求項１〜請求項５のいずれか一項に記載の照明ランプ。
【請求項７】
前記配光制御保持部は、
前記配光制御部の全周囲を覆うように配設されている
ことを特徴とする請求項６記載の照明ランプ。
【請求項８】
前記配光制御保持部は、
前記配光制御部の一部を覆うように配設されている
ことを特徴とする請求項６記載の照明ランプ。
【請求項９】
前記配光制御部は、
相互に離間して配置された複数の配光板である
ことを特徴とする請求項１又は請求項２記載の照明ランプ。
【請求項１０】
前記複数の配光板は、
前記複数の配光板が相互に離間した状態で、前記複数の配光板の両縁部同士において接続されている
ことを特徴とする請求項９記載の照明ランプ。
【請求項１１】
前記配光制御部を保持する配光制御保持部を有し、
前記配光制御保持部は、
前記複数の配光板の両縁部よりも外側において、前記外套部の内壁から立設する２個の立設部と、
前記２個の立設部から、前記２個の立設部が相互に向き合う方向に突出して、前記複数の配光板を支持する突出部と、を有する
ことを特徴とする請求項９又は請求項１０記載の照明ランプ。
【請求項１２】
対向する前記突出部が連結して、前記２個の立設部が橋架されている
ことを特徴とする請求項１１記載の照明ランプ。
【請求項１３】
前記配光制御保持部は、前記発光部から出射された光の少なくとも一部を反射する
ことを特徴とする請求項６〜請求項８、請求項１１及び請求項１２のいずれか一項に記載の照明ランプ。
【請求項１４】
前記配光制御保持部は、
前記外套部の内壁に、前記外套部と一体的に形成されている
ことを特徴とする請求項６〜請求項８及び請求項１１〜請求項１３のいずれか一項に記載の照明ランプ。
【請求項１５】
前記配光制御保持部は、
前記外套部とは別体であり、前記外套部の内壁に固定されている
ことを特徴とする請求項６〜請求項８及び請求項１１〜請求項１３のいずれか一項に記載の照明ランプ。
【請求項１６】
前記配光制御部は、
前記発光部を保持する発光保持部である
ことを特徴とする請求項１又は請求項２記載の照明ランプ。
【請求項１７】
前記配光制御部は、
前記発光部と、前記発光部を保持する発光保持部とを接着する接着部材である
ことを特徴とする請求項１又は請求項２記載の照明ランプ。
【請求項１８】
前記発光保持部は、
前記外套部の内壁に、前記外套部と一体的に形成されている
ことを特徴とする請求項１６又は請求項１７記載の照明ランプ。
【請求項１９】
前記発光保持部は、
前記外套部とは別体であり、前記外套部の内壁に固定されている
ことを特徴とする請求項１６又は請求項１７記載の照明ランプ。
【請求項２０】
前記発光部は、
発光素子と、
前記発光素子が実装された基板と、を有し、
前記基板は透光性を有する
ことを特徴とする請求項１〜請求項１９のいずれか一項に記載の照明ランプ。
【請求項２１】
前記発光部は、
発光素子と、
前記発光素子が実装された基板と、を有し、
前記基板はフィルム状のシートからなる
ことを特徴とする請求項１〜請求項１９のいずれか一項に記載の照明ランプ。
【請求項２２】
請求項１〜請求項２１のいずれか一項に記載の照明ランプを備えた照明装置。
【請求項２３】
光を透過する筒状の外套部の内部に、発光部を配設する工程と、
前記発光部から出射された光の配光を制御すると共に、前記発光部から出射された光の少なくとも一部を反射する配光制御部を、前記発光部の少なくとも光の出射側を覆う部分に、前記発光部と前記外套部の中心軸との間において、前記外套部の中心軸よりも前記発光部に近づけて配設する工程と、
前記配光制御部を保持する配光制御保持部を、前記外套部の内壁に固定する工程と、を有する
ことを特徴とする照明ランプの製造方法。
【発明の詳細な説明】
【技術分野】
【０００１】
本発明は、固体発光素子を発光手段とする照明ランプ、それを用いた照明装置及びその照明ランプの製造方法に関する。
【背景技術】
【０００２】
ＬＥＤ等の固体発光素子を発光手段とする直管型の照明ランプにおいて、配光特性を改善して広配光角化する技術が、従来から提案されている。特許文献１には、「筒型の管内部に設置され、その上面に１個乃至複数個のＬＥＤチップが装着された複数のエポキシ基板上面の向きが管の円断面からみて複数の傾きを持っている」蛍光灯型ＬＥＤ管が開示されている。
【０００３】
また、特許文献２には、「ＬＥＤチップをそれぞれ有する複数のＬＥＤモジュールと、支持面に上記複数のＬＥＤモジュールが搭載された支持部材と、を備えたＬＥＤランプであって、上記複数のＬＥＤモジュールは、出射方向についての光度分布である指向特性が互いに異なる複数種類のＬＥＤモジュールによって構成されている」ＬＥＤランプが開示されている。
【０００４】
更に、特許文献３には、「透過性光学素子は、第一の円周を外縁とする凸レンズと、前記第一の円周と同心で直径がそれより大きい第二の円周を外縁とし、前記凸レンズの周りを囲む透明な環状体とから成り、この環状体は、前記半導体発光素子に臨む底面、前記第一の円周と同心で、同じまたはそれに近くそれより小さい直径の円断面を有する円管状の内壁、および側面から成り、前記環状体の軸（前記第二の円周の中心を通る）を含む断面は、前記内壁に対応する第一の直線と、前記底面に対応する第二の直線または外に向かって凹の円弧等の第一の曲線と、前記側面に対応する第三の直線または外に向かって凸の円弧等の第二の曲線とで主として囲まれる、三角形またはそれに類似の三角図形で成り、前記凸レンズは前記環状体の前記内壁の光源側の端またはこの端に近い中間部に設けられ前記環状体の前記底面は、その外縁から内縁に向かい前記基板の面から遠ざかる傾斜を有する」照明装置が開示されている。
【０００５】
更にまた、特許文献４には、「複数のＬＥＤ素子を配置する基板と、前記ＬＥＤ素子の発光部に密着して備えられる透明レンズと、を有する」ＬＥＤランプ構造体が開示されている。
【０００６】
そして、特許文献５には、「複数のＬＥＤ素子が配列されたＬＥＤ基板、このＬＥＤ基板を保護するための光透過性の外套、及びこの外套を補強する骨材から成り、円筒形の形状を有する直管型ＬＥＤランプにおいて、前記外套が円筒形であり、前記骨材及び前記ＬＥＤ基板は前記外套の内部に収容され、前記骨材は、全体または所定の部分が透明な導光部と、それに結合された基底部から成り、前記導光部は、円筒形の前記外套の内面に密着する一対のガイド部と、この一対のガイド部を連結する連結部から成り、前記基底部は前記連結部の１面と前記外套の内面の間に介在して、前記外套内で前記導光部を安定に支持し、前記ＬＥＤ基板は、前記ＬＥＤ素子が前記連結部に面するように、前記基底部の面に搭載されている」直管型ＬＥＤランプが開示されている。
【０００７】
また、特許文献６には、「光源と、前記光源から光を入射させる入光部と、前記光源から入射した光を導光し照明装置の外部に照射する照射領域とを有し、前記光源から放出される光を導光する導光体と、を備え、前記照射領域は筒状であり、前記照射領域の少なくとも一部は、前記入光部に入射する光の方向と反対側を向き、前記入光部から前記筒状の照射領域に導光する前記照射領域の厚さは他の前記照射領域より厚く形成されている」照明装置が開示されている。
【先行技術文献】
【特許文献】
【０００８】
【特許文献１】登録実用新案第３１５３２７８号公報（請求項１、図２）
【特許文献２】特開２０１０−１９８９１９号公報（請求項１、図２０、第９頁）
【特許文献３】特開２０１１−２４９２９４号公報（請求項１、図２）
【特許文献４】特開２０１２−１０４４４５号公報（請求項１、図１）
【特許文献５】特開２０１２−２５２９８８号公報（請求項１、図５）
【特許文献６】特開２０１２−２５３０４３号公報（請求項１、図１）
【発明の概要】
【発明が解決しようとする課題】
【０００９】
しかしながら、特許文献１に開示された従来技術は、ＬＥＤ管から、異なる複数の方向に光を出射させるために、ＬＥＤが載置（実装）された複数の基板を、この異なる複数の向きに対応するように設置して、ＬＥＤ管を構成する必要がある。このため、この特許文献１に開示されたＬＥＤ管は、構造が複雑である。
【００１０】
また、特許文献２に開示された従来技術は、異なる指向性を有する複数種類のＬＥＤモジュール（実施の形態においては、３種類のＬＥＤモジュール）を用いてＬＥＤランプを構成する必要がある。このため、この特許文献２に開示されたＬＥＤランプも、構造が複雑である。
【００１１】
更に、特許文献３〜特許文献６に開示された従来技術は、レンズを用いて均一な配光を得ようとするものであるが、光の吸収の減少又は放熱性の改善等を行うために、複雑なレンズ形状が必要となる。
【００１２】
また、これらの特許文献１〜特許文献６に開示された従来技術のいずれも、ＬＥＤの光の出射方向における照射領域において、均一な配光を得ようとするものであるため、これらの従来技術では、ＬＥＤの光の出射方向と反対側（ＬＥＤランプを天井に取り付けた場合、天井側）の領域においては、良好な配光特性を得ることはできない。
【００１３】
本発明は、上記のような課題を背景としてなされたもので、比較的簡素な構成で、ＬＥＤの光の出射方向における照射領域だけでなく、ＬＥＤの光の出射方向と反対側（ＬＥＤランプを天井に取り付けた場合、天井側）、即ち照明器具側の領域においても、良好な配光特性を得ることができる照明ランプ、それを用いた照明装置及びその照明ランプの製造方法を提供するものである。
【課題を解決するための手段】
【００１４】
本発明に係る照明ランプは、発光部と、前記発光部が内部に配設され前記発光部から出射される光を透過する筒状の外套部と、前記発光部の少なくとも光の出射側を覆うように外套部の内部に配設され、前記発光部から出射された光に、拡散、集光、導光及び偏光からなる群から選択された少なくとも１個以上の作用を及ぼすと共に、前記発光部から出射された光の少なくとも一部を反射する配光制御部と、を有することを特徴とする。
【発明の効果】
【００１５】
本発明によれば、配光制御部において、発光部から出射された光の少なくとも一部が反射するため、比較的簡素な構成で、ＬＥＤの光の出射方向における照射領域だけでなく、ＬＥＤの光の出射方向と反対側（ＬＥＤランプを天井に取り付けた場合、天井側）の領域においても、良好な配光特性を得ることができる。
【図面の簡単な説明】
【００１６】
【図１】実施の形態１に係る照明ランプ１を示す斜視図である。
【図２】実施の形態１に係る照明ランプ１を示す断面図である。
【図３】実施の形態１におけるＬＥＤパッケージ７を示す上面図である。
【図４】実施の形態１におけるＬＥＤパッケージ７を示す断面図である。
【図５】ワイヤーボンディング実装されたＬＥＤパッケージ７を示す上面図である。
【図６】ワイヤーボンディング実装されたＬＥＤパッケージ７を示す断面図である。
【図７】実施の形態１に係る照明ランプ１の配光方向を示す断面図である。
【図８】実施の形態１の第１変形例に係る照明ランプ１を示す断面図である。
【図９】実施の形態１の第２変形例に係る照明ランプ１を示す断面図である。
【図１０】実施の形態２に係る照明ランプ１ａを示す断面図である。
【図１１】実施の形態２の第１変形例に係る照明ランプ１ａを示す断面図である。
【図１２】実施の形態２の第２変形例に係る照明ランプ１ａを示す断面図である。
【図１３】実施の形態３に係る照明ランプ１ｂを示す断面図である。
【図１４】実施の形態３の第１変形例に係る照明ランプ１ｂを示す断面図である。
【図１５】実施の形態３の第２変形例に係る照明ランプ１ｂを示す断面図である。
【図１６】実施の形態４に係る照明ランプ１ｃを示す断面図である。
【図１７】実施の形態４の第１変形例に係る照明ランプ１ｃを示す断面図である。
【図１８】実施の形態４の第２変形例に係る照明ランプ１ｃを示す断面図である。
【図１９】実施の形態５に係る照明ランプ１ｄを示す断面図である。
【図２０】実施の形態５の第１変形例に係る照明ランプ１ｄを示す断面図である。
【図２１】実施の形態５の第２変形例に係る照明ランプ１ｄを示す断面図である。
【図２２】実施の形態７に係る照明ランプ１ｆを示す断面図である。
【図２３】実施の形態７の第１変形例に係る照明ランプ１ｆを示す断面図である。
【図２４】実施の形態７の第２変形例に係る照明ランプ１ｆを示す断面図である。
【図２５】実施の形態８に係る照明ランプ１ｇを示す断面図である。
【図２６】実施の形態８の第１変形例に係る照明ランプ１ｇを示す断面図である。
【図２７】実施の形態８の第２変形例に係る照明ランプ１ｇを示す断面図である。
【発明を実施するための形態】
【００１７】
以下、本発明に係る照明ランプの実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１８】
実施の形態１．
図１は、実施の形態１に係る照明ランプ１を示す斜視図、図２は、実施の形態１に係る照明ランプ１を示す断面図、図３は、実施の形態１におけるＬＥＤパッケージ７を示す上面図、図４は、実施の形態１におけるＬＥＤパッケージ７を示す断面図である。これらの図１〜図４に基づいて、照明ランプ１について説明する。図１，図２に示すように、照明ランプ１は、例えば円筒状の外套部３の内部に、発光部６が配設されている。この発光部６は、例えば、複数のＬＥＤ７（発光素子）と、これらの複数のＬＥＤ７及び駆動回路（図示せず）が実装され、外套部３の軸Ｏ方向に延びる基板８（例えば、幅Ｗ）とからなる。この基板８は、例えば、透光性を有するものであり、フィルム状のシートからなる。また、外套部３も、透光性を有しており、発光部６から出射される光を透過するものである。この外套部３の素材としては、例えば、ガラス、樹脂又はガラスと樹脂とが混在したハイブリットタイプ等とすることができる。なお、本実施の形態では、外套部３を円筒状の管としたが、本発明はこれに限らず、角筒のような他の筒状の管としてもよい。また、基板８は、ガラスとしてもよい。
【００１９】
そして、この発光部６の全周囲を覆うように、例えば円筒状の配光制御部５が配設されており、この配光制御部５は、発光部６に近づけられている。この配光制御部５は、発光部６から出射された光に、例えば、拡散、集光、導光及び偏光からなる群から選択された少なくとも１個以上の作用を及ぼすものである。また、この配光制御部５には、例えば、その内面に、反射層１１が形成されている。この反射層１１は、発光部６から出射された光を、全反射するのではなく、部分反射するものである。この反射層１１における反射率（透過率）は、照明ランプ１の設計仕様に応じて設定されている。なお、反射層１１は、反射膜としてもよく、反射層１１又は反射膜は、配光制御部５の内面に限られず、外面又は両面に形成されていてもよい。
【００２０】
そして、配光制御部５の内面には、基板８の幅方向両端部が配設される位置に、一対の凹みが形成されており、この一対の凹みに、基板８の幅方向両端部が差し込まれることによって、基板８が配光制御部５に係止されている。即ち、この一対の凹みは、基板８を係止する係止部１０となっている。また、この発光部６と配光制御部５とは、例えば、透光性を有する接着部材９によって、接着されている。なお、本実施の形態では、配光制御部５が、発光部６の全周囲を覆うように配設されているが、本発明はこれに限られず、配光制御部５が、発光部６の少なくとも光の出射側を覆っていればよい。本実施の形態では、配光制御部５が、発光部６から出射される光の配光を制御するため、外套部３には、配光を制御する機能をもたせなくともよい。
【００２１】
また、この配光制御部５の全周囲を覆うように、例えば、断面Ｕ字の配光制御保持部４が配設されており、この配光制御保持部４によって、配光制御部５が保持されている。この配光制御保持部４は、Ｕ字の屈曲部において、配光制御部５に密着しており、屈曲部の両端から延びる２個の直線部においては、配光制御部５から離間している。この配光制御保持部４と配光制御部５とが離間した隙間には、例えば、透光性を有する接着部材９が充填されており、この接着部材９によって、配光制御部５と配光制御保持部４とが接着されている。
【００２２】
また、この配光制御保持部４における２個の直線部の先端は、外套部３の内壁に当接しており、例えば、配光制御保持部４は、外套部３と一体的に形成されている。これらの外套部３と配光制御保持部４とから、照明ランプ１の筒管２が構成されている。外套部３の素材を樹脂とすれば、上記のように、外套部３と配光制御保持部４とを一体的に形成することができる。一方、外套部３の素材をガラスとする場合は、外套部３と配光制御保持部４とを別体とし、例えば透光性の接着部材を用いて、外套部３の内壁に、配光制御保持部４における２個の直線部の先端を接着することによって、外套部３と配光制御保持部４とを接着固定してもよい。なお、この配光制御保持部４も、例えば、その外面、内面又は両面に、反射層又は反射膜が形成されていてもよい。この場合、この反射層又は反射膜は、発光部６から出射された光を、全反射するのではなく、部分反射するものである。
【００２３】
そして、外套部３の両端部には、一対の口金が設けられている。外套部３の一端部３１に設けられた口金は、給電用の給電口金３２であり、この給電口金３２は、例えば、外套部３の一端部３１を覆うように給電口金嵌合部３５が嵌合する口金筐体である給電口金筐体３３と、この給電口金筐体３３の給電口金嵌合部３５とは反対側の面に設けられた断面Ｌ字の２個の給電端子３４とを備えている。２個の給電端子３４は、Ｌ字の曲がり部分が、相互に外側を向くように給電口金筐体３３に取り付けられている。一方、外套部３の他端部４１に設けられた口金は、アース用のアース口金４２であり、このアース口金４２は、例えば、外套部３の他端部４１を覆うようにアース口金嵌合部４５が嵌合する口金筐体であるアース口金筐体４３と、このアース口金筐体４３のアース口金嵌合部４５とは反対側の面に設けられたアース端子４４とを備えている。
【００２４】
次に、発光部６を構成するＬＥＤパッケージ７について説明する。図３，図４に示すように、ＬＥＤ（パッケージ）７を実装する基板８として、基材５１に、電路となるパターンが形成されており、このパターン上に基板電極（パッド）５２が２個形成されている。そして、この２個の基板電極５２に、夫々アノード電極６６及びカソード電極６７が接続されており、これらのアノード電極６６及びカソード電極６７上に、ＬＥＤチップ６１が載置されている。このアノード電極６６及びカソード電極６７と、ＬＥＤチップ６１との間には、接着部材６２が介在しており、この接着部材６２により、アノード電極６６及びカソード電極６７と、ＬＥＤチップ６１とが接着されている。
【００２５】
また、このＬＥＤチップ６１は、蛍光体６４が添加された封止樹脂６３によって封止されている。そして、このＬＥＤチップ６１の周囲には、幅がＬ１，長さがＬ２の筒状のケース６５が設置されており、このケース６５は、ＬＥＤチップ６１からの光を反射する機能を備えている。以上の構成において、基板電極５２からアノード電極６６及びカソード電極６７を介して、ＬＥＤチップ６１が給電されることにより、ＬＥＤチップ６１が発光し、この発光した光が蛍光体６４を通過して、様々な色となってＬＥＤパッケージ７から出射される。
【００２６】
図３，図４においては、基板電極（パッド）５２と、ＬＥＤ（パッケージ）７におけるアノード電極６６及びカソード電極６７とを、接続部材を用いずに、もっとも簡素な構成で接続するフリップチップ実装方法によって、実装された発光部６を示している。これらの基板電極（パッド）５２とアノード電極６６及びカソード電極６７とを接続する方法としては、例えば、圧接工法、超音波接合方法及び溶接工法等がある。なお、これらの工法において、基板電極（パッド）５２と、アノード電極６６及びカソード電極６７との間に、各電極の素材と同種又は異種の素材で形成された金属バンプを介在させて、この金属バンプにより、基板電極（パッド）５２と、アノード電極６６及びカソード電極６７とを接続することもできる。
【００２７】
また、上記工法のうち、超音波接合方法は、異種金属同士の接合が容易であること、薄い金属同士の接合が可能であること、温度特性及び導電性に優れること、半田又はロー材のようなフラックスが不要であること、特別な環境条件が不要であること、表面処理（清浄処理）が不要であること、作業者の熟練をあまり必要としないこと等の特徴がある。なお、上記のような金属バンプのほかに、半田、導電ペースト、ＡＣＦ（異方性導電フィルム）、ＡＣＰ（異方性導電ペースト）等の接続部材を用いて、基板電極５２とＬＥＤ（パッケージ）７におけるアノード電極６６及びカソード電極６７とを接続することもできる。
【００２８】
本実施の形態においては、ＬＥＤパッケージ７における基板８への実装方法を、フリップチップ実装としたが、図５，図６に示すように、ワイヤー６８を使用したワイヤーボンディング実装としてもよい。しかし、基板８の面積を小型化することで、照明ランプ１自体を小型化することができるため、基板８の面積を小さくすることができるフリップチップ実装が好ましい。このフリップチップ実装のパッケージタイプとしては、ＳＯＪ（Ｓｍａｌｌ  Ｏｕｔｌｉｎｅ  Ｊ−ｌｅａｄｅｄ）、ＢＧＡ（Ｂａｌｌ  Ｇｒｉｄ  Ａｒｒａｙ）、ＬＧＡ（Ｌａｎｄ  Ｇｒｉｄ  Ａｒｒａｙ）又はＬＬＣＣ（Ｌｅａｄ  Ｌｅｓｓ  Ｃｈｉｐ  Ｃａｒｒｉｅｒ）等を選択することが好ましい。また、基板８を構成する基材５１は、電路となるパターンを形成することができ、ＬＥＤ（パッケージ）７を面実装可能で、パターン上の基板電極（パッド）５２と、ＬＥＤ（パッケージ）７におけるアノード電極６６及びカソード電極６７とが電気的且つ物理的に接続可能であれば、どのような素材を用いてもよい。
【００２９】
次に、本実施の形態１に係る照明ランプ１の製造方法について説明する。先ず、光を透過する筒状の外套部３と、配光制御保持部４とを一体的に形成する。次に、この外套部３における配光制御保持部４の内部に、発光部６を配設する。そして、発光部６から出射された光の配光を制御すると共に、発光部６から出射された光の一部を反射する配光制御部５を、発光部６の少なくとも光の出射側を覆う部分に、発光部６と外套部３の中心軸Ｏとの間において、外套部３の中心軸Ｏよりも発光部６に近づけて配設する。最後に、外套部３の両端部に、一対の口金を設ける。これにより、照明ランプ１が製造される。
【００３０】
次に、本実施の形態１に係る照明ランプ１の作用について説明する。図７は、実施の形態１に係る照明ランプ１の配光方向を示す断面図である。ＬＥＤ７から出射された光は、外套部３の軸Ｏ方向に向かって、広がりをもって配光する。このとき、配光制御部５の内面には、反射層１１が形成されているため、この反射層１１によって、光の一部が反射する。そして、反射した光は、ＬＥＤ７の光の出射方向とは反対側に進み、透光性を有する基板８を通過して、ＬＥＤ７の光の出射方向とは反対側に位置する配光制御部５の部分と、ＬＥＤ７の光の出射方向とは反対側に位置する外套部３の部分とを通過して、外套部３の外に出射される。
【００３１】
このように、照明ランプ１は、配光制御部５に、反射層１１を設けることによって、ＬＥＤ７の光の出射方向における照射領域だけでなく、ＬＥＤ７の光の出射方向と反対側の領域においても、良好な配光特性を得ることができる。これにより、照明ランプ１を天井に取り付けた場合、従来の直管型ＬＥＤランプよりも、天井側、即ち照明器具側に積極的に配光させることができるため、（ＬＥＤではない）直管型蛍光ランプの配光特性に近い配光特性を得ることができる。また、照明ランプ１は、光源であるＬＥＤ７と配光制御部５との間の距離が近いため、拡散、集光、導光及び偏光等の配光制御を良好に行うことができる。更に、照明ランプ１は、発光部６から出射された光の配光制御を、配光制御部５が担うため、この配光制御部５以外に、配光を制御する部位を設ける必要がない。このため、筒管２（外套部３及び配光制御保持部４）等に配光制御機能をもたせる必要はなく、配光制御機能を施す部位を少なくすることができるため、筒管２の材料コストを削減することができる。
【００３２】
次に、本実施の形態１の第１変形例に係る照明ランプ１について説明する。図８は、実施の形態１の第１変形例に係る照明ランプ１を示す断面図である。この第１変形例においては、図８に示すように、配光制御部５における発光部６の光の出射側を覆う部分の一部が、発光部６に向けて凹んだ第１凹部１２となっている。また、配光制御部５が凹んでいることに伴い、配光制御保持部４における発光部６の光の出射側を覆う部分の一部も、この配光制御部５の第１凹部１２に沿って凹んだ第２凹部１３となっている。第１変形例では、配光制御部５に第１凹部１２を設けているため、発光部６から出射された光が、配光制御部５で反射されるとき、その反射方向を変えることができる。これにより、反射光の視野角を広げたり、狭めたりすることができる。なお、第１凹部１２及び第２凹部１３は、曲面に限らず、複数の連続した平坦面としてもよい。
【００３３】
次に、本実施の形態１の第２変形例に係る照明ランプ１について説明する。図９は、実施の形態１の第２変形例に係る照明ランプ１を示す断面図である。この第２変形例においては、図９に示すように、配光制御部５における発光部６の光の出射側を覆う部分の一部が、平坦な第１平坦部１４となっている。また、配光制御部５が平坦になっていることに伴い、配光制御保持部４における発光部６の光の出射側を覆う部分の一部も、この配光制御部５の第１平坦部１４に沿って第２平坦部１５となっている。このように、配光制御部５に第１平坦部１４を設けているため、第２変形例でも、発光部６から出射された光が、配光制御部５で反射されるとき、その反射方向を変えることができる。
【００３４】
実施の形態２．
次に、実施の形態２に係る照明ランプ１ａについて説明する。図１０は、実施の形態２に係る照明ランプ１ａを示す断面図である。本実施の形態は、配光制御部５ａにおける発光部６の光の出射側の反対側を覆う部分の一部が、外套部３ａの内壁に沿うように、配光制御部５ａが配設されている点で、実施の形態１と相違する。本実施の形態２では、実施の形態１と共通する部分は説明を省略し、実施の形態１との相違点を中心に説明する。
【００３５】
本実施の形態では、図１０に示すように、配光制御部５ａにおける発光部６の光の出射側とは反対側を覆う部分の一部が、外套部３ａの内壁に沿うように、配光制御部５ａが配設されているため、外套部３ａと配光制御部５ａとの間に隙間がない。そして、この配光制御部５ａの周囲に、配光制御保持部４ａが配設されて、この配光制御保持部４ａが配光制御部５ａを保持している。このように、本実施の形態では、配光制御部５ａ及び配光制御保持部４ａを小型化し、且つ配光制御部５ａの外面と、配光制御保持部４ａの内面との接触面積を最大化している。
【００３６】
なお、実施の形態１と同様に、配光制御部５ａは、発光部６から出射される光に、例えば、拡散、集光、導光及び偏光からなる群から選択された少なくとも１個以上の作用を及ぼす。また、配光制御部５ａには、例えば、その内面、外面又は両面に、反射層１１が形成されている。この反射層１１は、発光部６から出射された光を、全反射するのではなく、部分反射するものである。なお、配光制御保持部４ａも、例えば、その外面、内面又は両面に、反射層１１又は反射膜が形成されていてもよい。この場合、この反射層１１又は反射膜は、発光部６から出射された光を、全反射するのではなく、部分反射するものである。そして、発光部６が内部に配設された配光制御部５ａは、例えば透光性を有する接着部材９を用いて、外套部３ａ、配光制御保持部４ａ又はその両方と接着されていてもよい。
【００３７】
本実施の形態では、実施の形態１で得られる効果に加え、配光制御部５ａと配光制御保持部４ａとの間に隙間がない状態で接触しているため、光学的ロスが少ない。また、配光制御部５ａと配光制御保持部４ａとの間に隙間がない状態で接触しているため、発光部６で発生する熱を、効率的に筒管２ａの外側へ伝達することができる。これにより、発光部６を構成するＬＥＤ（パッケージ）７及び駆動回路（図示せず）等の冷却を促進し、照明ランプ１ａの動作信頼性の向上及び長寿命化を図ることができる。更に、配光制御部５ａ及び配光制御保持部４ａを小型化したため、照明ランプ１ａの軽量化と材料コストの低減に寄与する。
【００３８】
次に、本実施の形態２の第１変形例に係る照明ランプ１ａについて説明する。図１１は、実施の形態２の第１変形例に係る照明ランプ１ａを示す断面図である。この第１変形例においては、図１１に示すように、配光制御部５ａにおける発光部６の光の出射側を覆う部分の一部が、発光部６に向けて凹んだ第１凹部１２となっている。また、配光制御部５ａが凹んでいることに伴い、配光制御保持部４ａにおける発光部６の光の出射側を覆う部分の一部も、この配光制御部５ａの第１凹部１２に沿って凹んだ第２凹部１３となっている。第１変形例では、配光制御部５ａに第１凹部１２を設けているため、発光部６から出射された光が、配光制御部５ａで反射されるとき、その反射方向を変えることができる。これにより、反射光の視野角を広げたり、狭めたりすることができる。なお、第１凹部１２及び第２凹部１３は、曲面に限らず、複数の連続した平坦面としてもよい。
【００３９】
次に、本実施の形態２の第２変形例に係る照明ランプ１ａについて説明する。図１２は、実施の形態２の第２変形例に係る照明ランプ１ａを示す断面図である。この第２変形例においては、図１２に示すように、配光制御部５ａにおける発光部６の光の出射側を覆う部分の一部が、平坦な第１平坦部１４となっている。また、配光制御部５ａが平坦になっていることに伴い、配光制御保持部４ａにおける発光部６の光の出射側を覆う部分の一部も、この配光制御部５ａの第１平坦部１４に沿って第２平坦部１５となっている。このように、配光制御部５ａに第１平坦部１４を設けているため、第２変形例でも、発光部６から出射された光が、配光制御部５ａで反射されるとき、その反射方向を変えることができる。
【００４０】
実施の形態３．
次に、実施の形態３に係る照明ランプ１ｂについて説明する。図１３は、実施の形態３に係る照明ランプ１ｂを示す断面図である。本実施の形態は、配光制御部５ｂに、係止部１０が設けられていない点で、実施の形態２と相違する。本実施の形態３では、実施の形態２と共通する部分は説明を省略し、実施の形態２との相違点を中心に説明する。
【００４１】
本実施の形態では、図１３に示すように、例えば、透光性を有する接着部材９を用いて、配光制御部５ｂと基板８とが接着されている。これにより、配光制御部５ｂに、係止部１０を設けることなく、配光制御部５ｂの内部に、発光部６を内包配設可能にしている。
【００４２】
なお、実施の形態２と同様に、配光制御部５ｂは、発光部６から出射される光に、例えば、拡散、集光、導光及び偏光からなる群から選択された少なくとも１個以上の作用を及ぼす。また、配光制御部５ｂには、例えば、その内面、外面又は両面に、反射層１１が形成されている。この反射層１１は、発光部６から出射された光を、全反射するのではなく、部分反射するものである。なお、配光制御保持部４ｂも、例えば、その外面、内面又は両面に、反射層１１又は反射膜が形成されていてもよい。この場合、この反射層１１又は反射膜は、発光部６から出射された光を、全反射するのではなく、部分反射するものである。そして、発光部６が内部に配設された配光制御部５ｂは、例えば透光性を有する接着部材９を用いて、外套部３ｂ、配光制御保持部４ｂ又はその両方と接着されていてもよい。
【００４３】
本実施の形態では、実施の形態１，２で得られる効果に加え、配光制御部５ｂが簡素な形状であるため、配光制御部５ｂを形成する上で、その成形品質を向上させることができる。
【００４４】
次に、本実施の形態３の第１変形例に係る照明ランプ１ｂについて説明する。図１４は、実施の形態３の第１変形例に係る照明ランプ１ｂを示す断面図である。この第１変形例においては、図１４に示すように、配光制御部５ｂにおける発光部６の光の出射側を覆う部分の一部が、発光部６に向けて凹んだ第１凹部１２となっている。また、配光制御部５ｂが凹んでいることに伴い、配光制御保持部４ｂにおける発光部６の光の出射側を覆う部分の一部も、この配光制御部５ｂの第１凹部１２に沿って凹んだ第２凹部１３となっている。第１変形例では、配光制御部５ｂに第１凹部１２を設けているため、発光部６から出射された光が、配光制御部５ｂで反射されるとき、その反射方向を変えることができる。これにより、反射光の視野角を広げたり、狭めたりすることができる。なお、第１凹部１２及び第２凹部１３は、曲面に限らず、複数の連続した平坦面としてもよい。
【００４５】
次に、本実施の形態３の第２変形例に係る照明ランプ１ｂについて説明する。図１５は、実施の形態３の第２変形例に係る照明ランプ１ｂを示す断面図である。この第２変形例においては、図１５に示すように、配光制御部５ｂにおける発光部６の光の出射側を覆う部分の一部が、平坦な第１平坦部１４となっている。また、配光制御部５ｂが平坦になっていることに伴い、配光制御保持部４ｂにおける発光部６の光の出射側を覆う部分の一部も、この配光制御部５ｂの第１平坦部１４に沿って第２平坦部１５となっている。このように、配光制御部５ｂに第１平坦部１４を設けているため、第２変形例でも、発光部６から出射された光が、配光制御部５ｂで反射されるとき、その反射方向を変えることができる。
【００４６】
実施の形態４．
次に、実施の形態４に係る照明ランプ１ｃについて説明する。図１６は、実施の形態４に係る照明ランプ１ｃを示す断面図である。本実施の形態は、配光制御保持部４ｃが、配光制御部５ｃの側部のみを覆いつつ、配光制御部５ｃを保持している点で、実施の形態３と相違する。本実施の形態４では、実施の形態３と共通する部分は説明を省略し、実施の形態３との相違点を中心に説明する。
【００４７】
本実施の形態では、図１６に示すように、配光制御保持部４ｃが、配光制御部５ｃの側部のみを覆っている。なお、配光制御保持部４ｃは、配光制御部５ｃの側部に限らず、配光制御部５ｃを保持することができる範囲で、その一部を覆っていればよい。なお、実施の形態３と同様に、配光制御部５ｃは、発光部６から出射される光に、例えば、拡散、集光、導光及び偏光からなる群から選択された少なくとも１個以上の作用を及ぼす。また、配光制御部５ｃには、例えば、その内面、外面又は両面に、反射層１１が形成されている。この反射層１１は、発光部６から出射された光を、全反射するのではなく、部分反射するものである。そして、発光部６が内部に配設された配光制御部５ｃは、例えば透光性を有する接着部材９を用いて、外套部３ｃ、配光制御保持部４ｃ又はその両方と接着されていてもよい。
【００４８】
本実施の形態では、実施の形態１，２，３で得られる効果に加え、発光部６から出射される光の配光範囲に、配光制御保持部４ｃがないため、配光制御部５ｃにおける配光制御の効率を向上させることができるという効果を奏する。また、配光制御保持部４ｃがコンパクトであるため、照明ランプ１ｃの軽量化及び材料コストの低減を図ることができる。
【００４９】
次に、本実施の形態４の第１変形例に係る照明ランプ１ｃについて説明する。図１７は、実施の形態４の第１変形例に係る照明ランプ１ｃを示す断面図である。この第１変形例においては、図１７に示すように、配光制御部５ｃにおける発光部６の光の出射側を覆う部分の一部が、発光部６に向けて凹んだ第１凹部１２となっている。第１変形例では、配光制御部５ｃに第１凹部１２を設けているため、発光部６から出射された光が、配光制御部５ｃで反射されるとき、その反射方向を変えることができる。これにより、反射光の視野角を広げたり、狭めたりすることができる。なお、第１凹部１２は、曲面に限らず、複数の連続した平坦面としてもよい。
【００５０】
次に、本実施の形態４の第２変形例に係る照明ランプ１ｃについて説明する。図１８は、実施の形態４の第２変形例に係る照明ランプ１ｃを示す断面図である。この第２変形例においては、図１８に示すように、配光制御部５ｃにおける発光部６の光の出射側を覆う部分の一部が、平坦な第１平坦部１４となっている。このように、配光制御部５ｃに第１平坦部を設けているため、第２変形例でも、発光部６から出射された光が、配光制御部５ｃで反射されるとき、その反射方向を変えることができる。
【００５１】
実施の形態５．
次に、実施の形態５に係る照明ランプ１ｄについて説明する。図１９は、実施の形態５に係る照明ランプ１ｄを示す断面図である。本実施の形態は、発光部６を保持する発光保持部４ｄが、配光制御の機能を有している点で、実施の形態１と相違する。本実施の形態５では、実施の形態１と共通する部分は説明を省略し、実施の形態１との相違点を中心に説明する。
【００５２】
本実施の形態では、図１９に示すように、発光部６を保持する発光保持部４ｄが配光制御部となっている。この発光保持部４ｄが、発光部６から出射される光に、例えば、拡散、集光、導光及び偏光からなる群から選択された少なくとも１個以上の作用を及ぼす。また、発光保持部４ｄには、例えば、その内面、外面又は両面に、反射層１１が形成されている。この反射層１１は、発光部６から出射された光を、全反射するのではなく、部分反射するものである。なお、発光保持部４ｄと、発光部６とは、透光性を有する接着部材９によって、接着されている。
【００５３】
本実施の形態では、実施の形態１で得られる効果に加え、発光保持部４ｄ自体が配光制御の機能を有するため、配光制御に寄与する構成を簡素化することができる。このため、配光制御の効率を高めることができる。また、独立した配光制御部を設ける必要がないため、照明ランプ１ｄの軽量化及び材料コストの低減を図ることができる。
【００５４】
次に、本実施の形態５の第１変形例に係る照明ランプ１ｄについて説明する。図２０は、実施の形態５の第１変形例に係る照明ランプ１ｄを示す断面図である。この第１変形例においては、図２０に示すように、発光保持部４ｄにおける発光部６の光の出射側を覆う部分の一部が、発光部６に向けて凹んだ第２凹部１３となっている。第１変形例では、発光保持部４ｄに第２凹部１３を設けているため、発光部６から出射された光が、発光保持部４ｄで反射されるとき、その反射方向を変えることができる。これにより、反射光の視野角を広げたり、狭めたりすることができる。なお、第２凹部１３は、曲面に限らず、複数の連続した平坦面としてもよい。
【００５５】
次に、本実施の形態５の第２変形例に係る照明ランプ１ｄについて説明する。図２１は、実施の形態５の第２変形例に係る照明ランプ１ｄを示す断面図である。この第２変形例においては、図２１に示すように、発光保持部４ｄにおける発光部６の光の出射側を覆う部分の一部が、平坦な第２平坦部１５となっている。このように、発光保持部４ｄに第２平坦部１５を設けているため、第２変形例でも、発光部６から出射された光が、発光保持部４ｄで反射されるとき、その反射方向を変えることができる。
【００５６】
実施の形態６．
次に、実施の形態６に係る照明ランプ１ｅ（図示せず）について説明する。本実施の形態は、発光保持部４ｅ（図示せず）と発光部６とを接着する接着部材９に、配光制御の機能が付与された充填剤が添加されている点で、実施の形態５と相違する。即ち、本実施の形態では、配光制御部が、発光部６と発光保持部４ｅとを接着する接着部材９となっている。
【００５７】
本実施の形態では、接着部材９に、配光制御の機能が付与された充填剤が添加されているため、発光保持部４ｅに、配光制御の機能をもたせる必要がない。従って、発光保持部４ｅを形成する上で、材料を簡素化し、また製造工程を簡略化することができる。即ち、筒管２ｅの材料コスト及び製造コストを削減することができる。なお、本実施の形態においても、実施の形態５と同様に、発光保持部４ｅに第２凹部１３を形成したり（第１変形例）、発光保持部４ｅに第２平坦部１５を形成したり（第２変形例）することができる。
【００５８】
実施の形態７．
次に、実施の形態７に係る照明ランプ１ｆについて説明する。図２２は、実施の形態７に係る照明ランプ１ｆを示す断面図である。本実施の形態は、配光制御部５ｆが、相互に離間して配置された２個の第１配光板１６及び第２配光板１７である点で、実施の形態１と相違する。本実施の形態７では、実施の形態１と共通する部分は説明を省略し、実施の形態１との相違点を中心に説明する。
【００５９】
本実施の形態では、図２２に示すように、配光制御部５ｆが、第１配光板１６及び第２配光板１７であり、これらの第１配光板１６及び第２配光板１７は、例えば、プリズムシート又はレンチキュラーレンズ（シリンドリカルレンズ）シート等である。これらの第１配光板１６及び第２配光板１７が、発光部６から出射される光に、例えば、拡散、集光、導光及び偏光からなる群から選択された少なくとも１個以上の作用を及ぼす。また、これらの第１配光板１６及び第２配光板１７のいずれか一方又は両方に、発光部６から出射される光を反射する機能をもたせる。なお、この反射は、全反射ではなく、部分反射である。また、本実施の形態においては、配光制御部５ｆを、第１配光板１６及び第２配光板１７としたが、３個以上の配光板としてもよい。
【００６０】
そして、これらの第１配光板１６及び第２配光板１７は、配光制御保持部４ｆによって保持されている。この配光制御保持部４ｆは、第１配光板１６及び第２配光板１７の幅方向両縁部よりも外側において、外套部３ｆの内壁から立設する２個の立設部２０と、これらの２個の立設部２０から、２個の立設部２０が相互に向き合う方向に突出して、第１配光板１６及び第２配光板１７を支持する一対の突出部２１とを備えている。
【００６１】
なお、この一対の突出部２１は、発光部６と第１配光板１６との間と、第１配光板１６と第２配光板１７との間と、第２配光板１７の上面とに３組設けられており、このうち、第２配光板１７の上面に設けられた一対の突出部２１は、互いに連結されており、２個の立設部２０を橋架する架橋部２２となっている。この配光制御保持部４ｆにおける架橋部２２には、例えば、その外面、内面又は両面に、反射層１１又は反射膜が形成されていてもよい。この場合、この反射層１１又は反射膜は、発光部６から出射された光を、全反射するのではなく、部分反射するものである。なお、第１配光板１６及び第２配光板１７は、透光性の接着部材９を用いて、配光制御保持部４ｆにおける立設部２０及び突出部２１に固定されてもよい。
【００６２】
外套部３ｆの素材を樹脂とする場合、外套部３ｆと配光制御保持部４ｆとを一体的に形成することができ、また、この外套部３ｆと一体化された配光制御保持部４ｆによって、第１配光板１６及び第２配光板１７を保持することができる。一方、外套部３ｆの素材をガラスとする場合は、外套部３ｆと配光制御保持部４ｆとを別体とし、例えば透光性の接着部材９を用いて、外套部３ｆに、配光制御保持部４ｆを接着固定してもよい。なお、図２２に示された配光制御部５ｆ及び配光制御保持部４ｆにおける突出部２１は、本発明の１例に過ぎず、他の構成としてもよい。
【００６３】
本実施の形態では、実施の形態１と同様の効果を奏することに加え、第１配光板１６及び第２配光板１７が配光制御の機能を有するため、配光制御保持部４ｆに配光制御の機能をもたせる必要がない。このため、配光制御保持部４ｆを形成する材料及び製造工程を簡素化することができる。即ち、筒管２ｆの材料コスト及び製造コストを削減することができる。また、第１配光板１６及び第２配光板１７が配光制御の機能を有するため、発光部６と配光制御保持部４ｆとの間に形成される隙間に充填する材料、例えば接着部材９等に、配光制御の機能をもたせる必要がない。このため、拡散剤の調合又は混合といった工程が不要であり、また、拡散剤が不要であるため、拡散剤に必要なコストも低減できる。なお、発光部６と配光制御保持部４ｆとの間に形成される隙間に、材料を充填する場合は、透光性及び熱伝導性等を有する材料とすることができる。更に、配光制御保持部４ｆの立設部２０を橋架して、架橋部２２としているため、この架橋構造により、配光制御保持部４ｆの強度を向上させることができる。
【００６４】
次に、本実施の形態７の第１変形例に係る照明ランプ１ｆについて説明する。図２３は、実施の形態７の第１変形例に係る照明ランプ１ｆを示す断面図である。この第１変形例においては、図２３に示すように、第２配光板１７の上面に設けられた一対の突出部２１は、連結されておらず、発光部６と第１配光板１６との間に設けられた一対の突出部２１が連結されており、２個の立設部２０を橋架する架橋部２２となっている。これにより、実施の形態７と同様に、架橋構造により、配光制御保持部４ｆの強度を向上させることができる。
【００６５】
次に、本実施の形態７の第２変形例に係る照明ランプ１ｆについて説明する。図２４は、実施の形態７の第２変形例に係る照明ランプ１ｆを示す断面図である。この第２変形例においては、図２４に示すように、第２配光板１７の上面に設けられた一対の突出部２１は、連結されておらず、第１配光板１６と第２配光板１７との間に設けられた一対の突出部２１が連結されており、２個の立設部２０を橋架する架橋部２２となっている。これにより、実施の形態７と同様に、架橋構造により、配光制御保持部４ｆの強度を向上させることができる。
【００６６】
実施の形態８．
次に、実施の形態８に係る照明ランプ１ｇについて説明する。図２５（ａ）は、実施の形態８に係る照明ランプ１ｇを示す断面図、図２５（ｂ）は、配光ユニット１８を示す断面図である。本実施の形態は、配光制御部５ｇを構成する第１配光板１６及び第２配光板１７が、相互に離間した状態で、その幅方向両縁部同士において接続されている点で、実施の形態７と相違する。本実施の形態８では、実施の形態７と共通する部分は説明を省略し、実施の形態７との相違点を中心に説明する。
【００６７】
本実施の形態では、図２５（ａ），（ｂ）に示すように、第１配光板１６及び第２配光板１７の対向する面同士が、相互に離間した状態で、その幅方向両縁部同士が、接続部材１９によって接続されている。これにより、第１配光板１６及び第２配光板１７は一体のユニットとなっている。これらの第１配光板１６及び第２配光板１７が、発光部６から出射される光に、例えば、拡散、集光、導光及び偏光からなる群から選択された少なくとも１個以上の作用を及ぼす。また、これらの第１配光板１６、第２配光板１７及び接続部材１９からなる配光ユニット１８が、部分反射の機能を有している。なお、配光制御保持部４ｇの一対の突出部２１は、発光部６と第１配光板１６との間と、第２配光板１７の上面との２箇所に設けられている。また、図２５（ａ）に示された配光制御部５ｇ及び配光制御保持部４ｇにおける突出部２１は、本発明の１例に過ぎず、他の構成としてもよい。
【００６８】
本実施の形態では、実施の形態７で得られる効果に加え、接続部材１９によって、第１配光板１６と第２配光板１７とが対向する面同士を、一定の距離に維持することができるため、所望の配光特性を安定的に得ることができる。
【００６９】
次に、本実施の形態８の第１変形例に係る照明ランプ１ｇについて説明する。図２６は、実施の形態８の第１変形例に係る照明ランプ１ｇを示す断面図である。この第１変形例においては、図２６に示すように、第２配光板１７の上面に設けられた一対の突出部２１が連結されており、２個の立設部２０を橋架する架橋部２２となっている。この架橋部２２における架橋構造により、配光制御保持部４ｇの強度を向上させることができる。なお、この第１変形例では、配光ユニット１８と配光制御保持部４ｇにおける架橋部２２のいずれか、又は両方に、部分反射の機能をもたせている。
【００７０】
次に、本実施の形態８の第２変形例に係る照明ランプ１ｇについて説明する。図２７は、実施の形態８の第２変形例に係る照明ランプ１ｇを示す断面図である。この第２変形例においては、図２７に示すように、第２配光板１７の上面に設けられた一対の突出部２１及び発光部６と第１配光板１６との間に設けられた一対の突出部２１が連結されており、２個の立設部２０が橋架されて、夫々第１架橋部２３及び第２架橋部２４となっている。第１架橋部２３及び第２架橋部２４における２個の架橋構造により、配光制御保持部４ｇの強度を更に向上させることができる。なお、この第２変形例では、配光ユニット１８、配光制御保持部４ｇにおける第１架橋部２３又は配光制御保持部４ｇにおける第２架橋部２４の少なくとも一つに、部分反射の機能をもたせている。
【００７１】
実施の形態９．
次に、本発明の照明ランプを備えた実施の形態９に係る照明装置について説明する。本発明の照明ランプは、天井に設置して天井用の照明装置として使用したり、例えばアクリルカバーに覆われた状態でデスクに設置してデスクを照らす照明装置として使用したりすることができる。なお、本発明の照明ランプを備えた照明装置は、これらの用途に限定されず、他の照明装置とすることもできる。
【００７２】
以上、本発明の実施の形態について説明したが、上記の実施の形態は、本発明を限定するものではない。
【符号の説明】
【００７３】
１，１ａ，１ｂ，１ｃ，１ｄ，１ｅ，１ｆ，１ｇ  照明ランプ、２，２ａ，２ｂ，２ｃ，２ｄ，２ｅ，２ｆ，２ｇ  筒管、３，３ａ，３ｂ，３ｃ，３ｄ，３ｅ，３ｆ，３ｇ  外套部、４，４ａ，４ｂ，４ｃ，４ｆ，４ｇ  配光制御保持部、４ｄ，４ｅ  発光保持部、５，５ａ，５ｂ，５ｃ，５ｆ，５ｇ  配光制御部、６  発光部、７  ＬＥＤ（パッケージ）、８  基板、９  接着部材、１０  係止部、１１  反射層、１２  第１凹部、１３  第２凹部、１４  第１平坦部、１５  第２平坦部、１６  第１配光板、１７  第２配光板、１８  配光ユニット、１９  接続部材、２０  立設部、２１  突出部、２２  架橋部、２３  第１架橋部、２４  第２架橋部、３１  一端部、３２  給電口金、３３  給電口金筐体、３４  給電端子、３５  給電口金嵌合部、４１  他端部、４２  アース口金、４３  アース口金筐体、４４  アース端子、４５  アース口金嵌合部、５１  基材、５２  基板電極（パッド）  ６１  ＬＥＤチップ、６２  接着部材、６３  封止樹脂、６４  蛍光体、６５  ケース、６６  アノード電極、６７  カソード電極、６８  ワイヤー。
【図１】
2014192144.tif 000003
【図２】
2014192144.tif 000004
【図３】
2014192144.tif 000005
【図４】
2014192144.tif 000006
【図５】
2014192144.tif 000007
【図６】
2014192144.tif 000008
【図７】
2014192144.tif 000009
【図８】
2014192144.tif 000010
【図９】
2014192144.tif 000011
【図１０】
2014192144.tif 000012
【図１１】
2014192144.tif 000013
【図１２】
2014192144.tif 000014
【図１３】
2014192144.tif 000015
【図１４】
2014192144.tif 000016
【図１５】
2014192144.tif 000017
【図１６】
2014192144.tif 000018
【図１７】
2014192144.tif 000019
【図１８】
2014192144.tif 000020
【図１９】
2014192144.tif 000021
【図２０】
2014192144.tif 000022
【図２１】
2014192144.tif 000023
【図２２】
2014192144.tif 000024
【図２３】
2014192144.tif 000025
【図２４】
2014192144.tif 000026
【図２５】
2014192144.tif 000027
【図２６】
2014192144.tif 000028
【図２７】
2014192144.tif 000029